(57)【要約】【課題】装置全体の容積・重量が小さく、設置スペースをとらず且つ持ち運びが容易であること、あらゆる場所で簡単に定置・固定できるとともに、簡便に使用できること、発熱が少ないこと、無影照明ができること、などの要求性能を全て満足し、災害時における野外や仮設テントなどでの治療用の照明灯、特に処置灯や手術灯として好適な医療用照明器具を提供する。【解決手段】複数の照明体Ａと、これら複数の照明体Ａに電力を供給するバッテリー式の電源装置Ｂを備え、各照明体Ａは、フレーム５の内側にＬＥＤ面発光パネル４が取り付けられた本体１と、この本体１を保持するとともに、屈曲することで本体１の位置・向き調整を可能とした支持アーム２と、この支持アーム２の基端部に設けられる固定用クリップ３を有する。【選択図】図１
2012164612.tif 000002
【特許請求の範囲】
【請求項１】
複数の照明体（Ａ）と、これら複数の照明体（Ａ）に電力を供給するバッテリー式の電源装置（Ｂ）を備え、
前記各照明体（Ａ）は、フレーム（５）の内側にＬＥＤ面発光パネル（４）が取り付けられた本体（１）と、該本体（１）を保持するとともに、屈曲することで本体（１）の位置・向き調整を可能とした支持アーム（２）と、該支持アーム（２）の基端部に設けられる固定用クリップ（３）を有することを特徴とする携帯可能な医療用照明器具。
【請求項２】
支持アーム（２）がフレキシブルアームからなることを特徴とする請求項１に記載の携帯可能な医療用照明器具。
【請求項３】
本体（１）の平面形状が矩形状であり、その短辺部に支持アーム（２）が接続されることを特徴とする請求項１又は２に記載の携帯可能な医療用照明器具。
【発明の詳細な説明】
【技術分野】
【０００１】
この発明は、例えば、災害時における野外や仮設テントなどでの治療、或いは救急車や救急ヘリなどの患者輸送手段内での治療で使用できる携帯可能な医療用照明器具、特に処置灯や手術灯として好適な医療用照明器具に関する。
【背景技術】
【０００２】
大地震などのような大規模災害時には、被災地域の野外や仮設テント内で医療活動を行う必要があり、そのような環境で患者を治療（診察、処置）する場合、照明は不可欠なものであると言える。災害時にはあらゆる場所での医療活動が想定され、且つ被災状況に応じて迅速に医療活動を行う必要があることから、使用する照明器具には、（a）電源などを含めた装置全体の容積と重量が小さく、設置スペースをとらず且つ持ち運びが容易であること、（b）あらゆる場所において簡単に定置・固定できるとともに、簡便に使用できること、（c）治療のために必要な十分な照度が得られることも含めて、被照対象又は領域を明るく照らし出せる照明機能を有すること、（d）処置灯や手術灯の場合には、発熱が少なく且つ無影照明ができること、（e）野外での使用に耐え得る堅牢性や、車中での衝撃や振動に耐え得る性能を備えること、（f）消費電力が小さく長時間の使用が可能であること、（g）光源の寿命が長く、メンテナンスフリー又はメンテナンスが容易であること、などが求められる。
【０００３】
一方、救急車をはじめとする患者輸送手段には、近年まで処置用の照明が備えられていなかった。これは照明を必要としていなかったのではなく、処置灯としての性能、設置スペース、使用電力、発熱等のような諸々の要求・問題をクリアできるような照明装置が存在しなかったためである。
【発明の概要】
【発明が解決しようとする課題】
【０００４】
したがって本発明の目的は、上記（a）〜（g）として挙げたような要求性能を全て満足し、災害時における野外や仮設テントなどでの治療、或いは救急車や救急ヘリなどの患者輸送手段内での治療に好適な医療用照明器具、特に処置灯や手術灯として好適な医療用照明器具を提供することにある。
【課題を解決するための手段】
【０００５】
上記課題を解決するための本発明の要旨は以下のとおりである。
［1］複数の照明体（Ａ）と、これら複数の照明体（Ａ）に電力を供給するバッテリー式の電源装置（Ｂ）を備え、前記各照明体（Ａ）は、フレーム（５）の内側にＬＥＤ面発光パネル（４）が取り付けられた本体（１）と、該本体（１）を保持するとともに、屈曲することで本体（１）の位置・向き調整を可能とした支持アーム（２）と、該支持アーム（２）の基端部に設けられる固定用クリップ（３）を有することを特徴とする携帯可能な医療用照明器具。
【０００６】
［2］上記［1］の医療用照明器具において、支持アーム（２）がフレキシブルアームからなることを特徴とする携帯可能な医療用照明器具。
［3］上記［1］又は［2］の医療用照明器具において、本体（１）の平面形状が矩形状であり、その短辺部に支持アーム（２）が接続されることを特徴とする携帯可能な医療用照明器具。
【発明の効果】
【０００７】
本発明の医療用照明器具は、ＬＥＤ面発光パネルを利用した携帯可能な照明器具であって、任意の基部に固定できる複数の照明体Ａを備えているので、野外や仮設テント、救急車や救急ヘリなどの患者輸送手段内などをはじめとするあらゆる場所において使用することができ、また、照明体Ａを被照対象又は領域の周囲に配置することにより、被照対象又は領域を必要な明るさで照らし出すことができ、無影照明も可能となる。また、ＬＥＤ面発光パネルによる照明であるため熱の発生が少なく、治療のために被照対象又は領域の近くに設置することができる。さらに、光源としてＬＥＤを用い且つその電源としてバッテリーを用いるため、（i）電源などを含めた装置全体の容積と重量が小さく、設置スペースをとらず且つ持ち運びが容易である、（ii）消費電力が小さく長時間の使用も可能である、（iii）虫が寄りつきにくい、（iv）野外での使用に耐え得る堅牢性や、車中での衝撃や振動に耐え得る性能を有する、などの利点もある。このため、災害時における野外や仮設テントでの治療、或いは救急車や救急ヘリなどの患者輸送手段内での治療に用いる処置灯や手術灯として特に好適である。
【図面の簡単な説明】
【０００８】
【図１】本発明の医療用照明器具の一実施形態を示す全体説明図
【図２】図１の実施形態の医療用照明器具を構成する１つの照明体Ａを示す正面図
【図３】図２の照明体Ａの側面図
【図４】図２のＩＶ−ＩＶ線に沿う断面図（但し、フレーム４のみを断面した図面）
【図５】図１の実施形態の医療用照明器具について、使用状態の一例を示す説明図
【発明を実施するための形態】
【０００９】
図１〜図５は、本発明の医療用照明器具の一実施形態を示すものであり、図１は医療用照明器具の全体説明図、図２は医療用照明器具を構成する１つの照明体Ａを示す正面図、図３は同じく側面図、図４は図２のＩＶ−ＩＶ線に沿う断面図（但し、フレーム４のみを断面した図面）、図５は医療用照明器具の使用状態を示す説明図である。
本発明の医療用照明器具は、複数（本実施形態では４基）の照明体Ａと、これら複数の照明体Ａに電力を供給するバッテリー式の電源装置Ｂを備えている。
前記各照明体Ａは、フレーム５（枠体）の内側にＬＥＤ面発光パネル４が取り付けられた本体１と、この本体１を保持するとともに、屈曲することにより本体１の位置・向き調整を可能とした屈曲可能な支持アーム２と、この支持アーム２の基端部に設けられる固定用クリップ３とを有している。
【００１０】
前記本体１は、平面形状が縦長矩形状であり、その短辺部に支持アーム２が接続されている。
本体１を構成するＬＥＤ面発光パネル４は、導光板４０の縁部に沿って光源であるＬＥＤチップを複数埋め込んだものであり、ＬＥＤチップ４１の光が導光板４０に伝わり、パネル全体が均一に面発光する。このＬＥＤ面発光パネル４は、公知のものを用いることができる。このＬＥＤ面発光パネル４の照度は特に限定されないが、野外などでの医療活動に用いるという観点からは、一般には１つの照明体ＡあたりのＬＥＤ面発光パネル４の照度は２００００〜４００００Ｌｘ程度が適当である。
【００１１】
ＬＥＤ面発光パネル４の形状や大きさは特に限定されないが、広い領域を照らせるという観点からは、矩形状などの縦長形状が好ましい。例えば、縦長矩形状の場合、通常、縦横の比率が縦寸法／横寸法＝２／１〜３／１程度が適当である。また、１つの照明体ＡあたりのＬＥＤ面発光パネル４の面積は、概ね３００〜４００ｃｍ２程度が適当である。ＬＥＤ面発光パネルの厚さは通常４〜６ｍｍ程度である。但し、以上のような範囲に限定されるものではない。
本体１を構成するフレーム５は、ＬＥＤ面発光パネル４を囲んで保持する枠体であり、一般に金属又は樹脂材で構成される。図４に示すように、フレーム５はチャンネル状（断面コ字状）の部材で構成され、そのチャンネル状部材の溝内にＬＥＤ面発光パネル４の縁部が嵌め込まれることにより、ＬＥＤ面発光パネル４がフレーム５に保持されている。
【００１２】
前記支持アーム２は、可曲性を有し、曲げた（屈曲させた）形状に維持されるフレキシブルアームからなり、その先端が本体１を構成するフレーム５に接合されている。
支持アーム２は、屈曲することで本体１の位置・向きを自在に調整できるようなものであればよく、したがって、本実施形態のようなフレキシブルアーム以外に、例えば、複数のアーム材（剛性材）を順次枢着し、支持アーム全体が複数の枢着部において別々の方向に折り曲げできるようにした構造のものでもよい。
【００１３】
前記固定用クリップ３は、使用場所にて照明体Ａを定置・固定するための手段であり、本実施形態では、開閉可能な１対のクランプ鋏３０をバネの弾性力で付勢して閉じさせる形式のもので構成されている。このような固定用クリップ３によれば、クランプ鋏３０でクランプできるような基部（突起した部分）さえあれば、どのような場所であっても、照明体Ａを定置・固定することができる。
前記電源装置Ｂは、バッテリー式の電源装置であり、バッテリーの他に電源スイッチ、コンバータなどを備え、配線コード６を通じて各照明体Ａに電力を供給する。なお、この電源装置Ｂにおいて、バッテリーは、電源スイッチやコンバータなどを備える装置とは別に設けてもよい。
本発明の医療用照明器具において、照明体Ａの数は任意であるが、一般には、３基以上、好ましくは４基以上が適当である。
また、この医療用照明器具に、充電用の太陽電池などを附属させれば、より利便性が高まる。
【００１４】
本発明の医療用照明器具は、医療用の種々の照明灯として利用できるが、特に、無影照明が可能な処置灯や手術灯として好適である。
本発明の医療用照明器具は、通常、複数の照明体Ａを被照対象又は領域を囲むように配置し、被照対象又は領域に複数の照明体Ａから光を当てて照らし出す。図５は、本発明の医療用照明器具の使用状態の一例を示しており、各照明体Ａは、その固定用クリップ３で適当な基部をクランプすることにより、定置・固定される。図５では、テーブル７の縁に固定しているが、固定用クリップ３でクランプできるような適当な基部（突起した部分）があれば、どのような場所（例えば、がれきの中など）であっても照明体Ａを定置・固定することができる。
【００１５】
以下、従来の医療用照明器具に較べた本発明の医療用照明器具の効果について述べる。
電球（ハロゲン電球など）を用いる従来の医療用照明器具（処置・手術灯）では、医療のために必要な十分な明るさを確保しようとした場合、発熱（電球自体の発熱と光による発熱）を処理するために、灯体内に十分な空間を設けたり、フィルターなどにより赤外成分を除去する対策が必要であり、これにより構造が複雑化し、装置全体の体積、重量が増加するとともに、メンテナンスの負担も増加する等の問題がある。また、これに伴い装置全体のコストやランニングコストも上昇してしまう。例えば、電球を用いた可搬式スタンド型無影灯の例を挙げると、５０Ｗ電球４灯による無影灯方式で、距離１ｍの場合の照度として９５０００Ｌｘが得られるものがあるが、その灯体直径は６００ｍｍと大きく、重量も８０ｋｇ以上と重いため、野外で使用する上で手搬送は容易ではない。さらに、（i）１００Ｖ電源を必要とするため、運用に発動発電機が不可欠である、（ii）照明灯体の直径をあまり大きくできないので、完全な無影照明とすることが難しく、術野に対して焦点が合わない傾向がある、（iii）上記のような対策をしても発熱が生じ、手術灯として使用する場合に制約がある、などの問題もある。また、灯体を小型化し、術者の視軸に無影灯光軸を接近させる方式の可搬式スタンド型無影灯として、５０Ｗ電球２灯で灯体サイズが縦２７ｃｍ×横４２ｃｍであり、距離８０ｃｍの場合の照度として５５０００Ｌｘが得られるものがあるが、重量がスタンドを含め８０ｋｇ以上もあり、また、上記可搬式スタンド型無影灯と同じく１００Ｖ電源を必要とする。
【００１６】
これに対して本発明の医療用照明器具は、以下のような効果を有する。
（A）ＬＥＤ面発光パネルを利用した照明器具であって、任意の基部に固定できる複数の照明体Ａを備えているので、照明体Ａを被照対象又は領域の周囲に配置・固定することにより、被照対象又は領域を必要な明るさに照らし出すことができ、また、ＬＥＤ面発光パネルで複数方面から照らすので、無影照明も可能となる。すなわち野外無影灯として用いることができる。
（B）ＬＥＤ面発光パネルによる照明であるため熱の発生が少なく、治療のために被照対象又は領域の近くに設置しても全く問題はない。
【００１７】
（C）電源などを含めた装置全体の容積と重量が小さく、設置スペースをとらず且つ持ち運びが容易である。具体的には、ブリーフケースに収まるほど薄く、軽くすることができ、小型バッテリー（例えば、１２Ｖ程度）で点灯できるような照明器具とすることができる。また、発電機や燃料が不要であることも含めて、災害発生時に迅速に展開・使用することが可能である。さらに、小型・軽量であるため携行医薬品の一部として携行できるため、例えば、がれきの下に潜り込むような状況でも使用可能である。
（D）各照明体Ａの固定用クリップ３でクランプできるような適当な基部（突起した部分）さえあれば、どのような場所であっても照明体Ａを定置・固定することができる。このためあらゆる場所において簡単に定置・固定できるとともに、簡便に使用できる。例えば、災害時にがれきの下に設置するようなこともできる。
【００１８】
（E）光源としてＬＥＤを用いるため、以下のような利点がある。
・光域スペクトルの特性上、野外で点灯した際に虫が寄りつきにくい。
・野外での使用に耐え得る堅牢性や、車中での衝撃や振動に耐え得る性能を備えている。
・消費電力が小さく長時間の使用が可能である。
・光源の寿命が長く、メンテナンスフリー又はメンテナンスが容易である。
【００１９】
また、本発明の医療用照明器具は、フレキシブルアームなどからなる支持アームによってＬＥＤ面発光パネル４の位置・向き調整が自在にでき、且つ全体として軽量であるため、いかなる状況でも術者の視軸に無影灯光軸を接近させることができるという利点がある。
以上の点から、本発明の医療用照明装置は、災害時における野外や仮設テントでの治療、或いは救急車や救急ヘリなど患者輸送手段内での治療に用いる処置灯や手術灯などとして特に好適である。
【符号の説明】
【００２０】
Ａ  照明体
Ｂ  電源装置
１  本体
２  支持アーム
３  固定用クリップ
４  ＬＥＤ面発光パネル
５  フレーム
６  配線コード
３０  クランプ鋏
４０  導光板
４１  ＬＥＤチップ
【図１】
2012164612.tif 000003
【図２】
2012164612.tif 000004
【図３】
2012164612.tif 000005
【図４】
2012164612.tif 000006
【図５】
2012164612.tif 000007